(57)【要約】【課題】多数の接続端子を備え、機械的強度の大きい接続装置を提供する。【解決手段】デジタルカメラ１００のアクセサリシュー１２３に対して着脱可能な接続装置であるカメラ接続部２０６は、Ｚ方向（前後方向）へのスライドによりアクセサリシュー１２３に対して装着可能なシュー取付脚２５１と、シュー取付脚２５１を保持する保持部材２５４と、シュー取付脚２５１と保持部材２５４とを固定する第１のビス２６０ａ及び第２のビス２６０ｂと、保持部材２５４におけるＺ方向前方に配置された複数の接続端子２５７を有する接続プラグ２５６とを備える。Ｘ方向（幅方向）において保持部材２５４の幅はシュー取付脚２５１の幅よりも短くし、接続端子２５７を第１のビス２６０ａ及び第２のビス２６０ｂの位置の間の領域に配置する。【選択図】図６
2020134682.tif 000002
【特許請求の範囲】
【請求項１】
電子機器が備えるアクセサリシュー装置に対して着脱可能な接続装置であって、
前記アクセサリシュー装置に対して第１の方向へスライドさせることにより装着可能な係合部材と、
前記係合部材を保持する保持部材と、
前記係合部材と前記保持部材とを固定する複数の締結部材と、
複数の接続端子を有し、前記第１の方向において前記保持部材の前方に配置された接続プラグと、を備え、
前記複数の締結部材は、前記第１の方向と直交する第２の方向において離れた位置に配置されていて、
前記第２の方向において、前記保持部材の幅は前記係合部材の幅よりも短く、且つ、前記複数の接続端子は前記複数の締結部材の位置の間の領域に配置されていることを特徴とする接続装置。
【請求項２】
前記接続プラグは、前記第１の方向での前記接続装置の位置を規制するロックピンを有し、
前記ロックピンは、前記第２の方向において前記複数の締結部材の位置の間の領域に配置されていることを特徴とする請求項１に記載の接続装置。
【請求項３】
前記接続プラグは、前記電子機器と電気的に接続されるシンクロナイザ接点を有し、
前記シンクロナイザ接点は、前記第２の方向において前記複数の締結部材の位置の間の領域に配置されていることを特徴とする請求項１又は２に記載の接続装置。
【請求項４】
電子機器が備えるアクセサリシュー装置に対して着脱可能な接続装置であって、
前記アクセサリシュー装置に対して第１の方向へスライドさせることにより装着可能な係合部材と、
前記係合部材を保持する保持部材と、
前記係合部材と前記保持部材とを固定する複数の締結部材と、
前記保持部材における前記第１の方向の前方に配置された接続プラグと、を備え、
前記複数の締結部材は、前記第１の方向と直交する第２の方向において離れた位置に配置されていて、
前記接続プラグは、
複数の接続端子と、
前記第１の方向での前記接続装置の位置を規制するロックピンと、を有し、
前記ロックピンは、前記第２の方向において前記複数の締結部材の位置の間の領域に配置されていることを特徴とする接続装置。
【請求項５】
前記接続プラグは、前記電子機器と電気的に接続されるシンクロナイザ接点を有し、
前記シンクロナイザ接点は、前記第２の方向において前記複数の締結部材の位置の間の領域に配置されていることを特徴とする請求項４に記載の接続装置。
【請求項６】
電子機器が備えるアクセサリシュー装置に対して着脱可能な接続装置であって、
前記アクセサリシュー装置に対して第１の方向へスライドさせることにより装着可能な係合部材と、
前記係合部材を保持する保持部材と、
前記係合部材と前記保持部材とを固定する複数の締結部材と、
前記保持部材における前記第１の方向の前方に配置された接続プラグと、を備え、
前記複数の締結部材は、前記第１の方向と直交する第２の方向において離れた位置に配置されていて、
前記接続プラグは、
複数の接続端子と、
前記電子機器と電気的に接続されるシンクロナイザ接点と、を有し、
前記シンクロナイザ接点は、前記第２の方向において前記複数の締結部材の位置の間の領域に配置されていることを特徴とする接続装置。
【請求項７】
前記係合部材は金属で形成されていることを特徴とする請求項１乃至６のいずれか１項に記載の接続装置。
【請求項８】
前記複数の締結部材はビスであり、
前記ビスは前記係合部材を挿通して前記係合部材に締結されていることを特徴する請求項１乃至７のいずれか１項に記載の接続装置。
【請求項９】
前記接続プラグと前記保持部材は、樹脂材料により一体的に形成されていることを特徴とする請求項１乃至８のいずれか１項に記載の接続装置。
【請求項１０】
前記複数の接続端子は、
先端部と、
前記第１の方向へ伸延し、前記先端部が前記電子機器の端子と接触した際に、前記第１の方向および前記第２の方向と直交する第３の方向へ前記先端部を変位させる伸延部と、を有することを特徴とする請求項１乃至９のいずれか１項に記載の接続装置。
【請求項１１】
前記伸延部は、前記第３の方向に段差を有することを特徴とする請求項１０に記載の接続装置。
【請求項１２】
請求項１乃至１１のいずれか１項に記載の接続装置を備えることを特徴とするアクセサリ。
【請求項１３】
請求項１乃至１１のいずれか１項に記載の接続装置の着脱が可能なアクセサリシュー装置であって、
前記接続装置を前記第１の方向にスライドさせることにより前記係合部材と係合する被係合部材と、
前記第１の方向の前方に配置され、前記係合部材が前記被係合部材と係合した状態で前記接続端子と接触する信号端子と、を備えることを特徴とするアクセサリシュー装置。
【請求項１４】
請求項１３に記載のアクセサリシュー装置を備えることを特徴とする電子機器。
【発明の詳細な説明】
【技術分野】
【０００１】
本発明は、アクセサリを電子機器に対して着脱するためにアクセサリに設けられる接続装置、接続装置を備えるアクセサリ、接続装置と着脱可能なアクセサリシュー装置、アクセサリシュー装置を備える電子機器に関する。
【背景技術】
【０００２】
デジタルカメラ等の撮像装置には、例えば、照明装置（ストロボ装置）等の撮影用アクセサリの着脱を可能とするアクセサリシュー装置を備えたものがある。一般的に、アクセサリシュー装置は、アクセサリに設けられた接続装置を着脱可能とするための係合部材を有する。そして、アクセサリシュー装置と接続装置のそれぞれには、撮像装置とアクセサリとの間での双方向通信を可能とするための接続端子が設けられている。
【０００３】
従来、例えば、撮像装置とアクセサリとの間の通信は、アクセサリシュー装置及び接続装置に設けられた５本の接続端子を通じて行われている。しかし、近年は、アクセサリ種の多様化やアクセサリの多機能化が進み、その結果、従来の５本の接続端子では端子数が不足する状況が生じている。そこで、例えば、特許文献１には、接続端子数を増加させたアクセサリシュー装置を備える撮像装置と、このアクセサリシュー装置に対応した接続端子を有する接続装置であるシュー装置を備えた電子ビューファインダが開示されている。特許文献１に開示されたアクセサリシュー装置及びシュー装置では、従来の５本の接続端子（通信ピン）との互換性を維持しながら、係合部材の形状内で接続端子数が増加させている。
【先行技術文献】
【特許文献】
【０００４】
【特許文献１】特開２０１８−０８４６８１号公報
【発明の概要】
【発明が解決しようとする課題】
【０００５】
アクセサリシュー装置や接続装置には、例えば、装着状態を維持するための圧力やアクセサリに作用する外力に起因する大きな応力が掛かる。これに対して、特許文献１に記載されているような多くの接続端子を有するシュー装置（接続装置）では、アクセサリシュー装置との連結に必要な部品及び多数の接続端子の配置に必要な領域の確保が優先される。そのため、シュー装置を構成する部品間の結合構造が制限され、十分な機械的強度を確保することが容易ではない。
【０００６】
本発明は、アクセサリシュー装置との連結に必要な部品及び多数の接続端子の配置と機械的強度の向上とを両立させた接続装置を提供することを目的とする。
【課題を解決するための手段】
【０００７】
本発明に係る接続装置は、電子機器が備えるアクセサリシュー装置に対して着脱可能な接続装置であって、前記アクセサリシュー装置に対して第１の方向へスライドさせることにより装着可能な係合部材と、前記係合部材を保持する保持部材と、前記係合部材と前記保持部材とを固定する複数の締結部材と、複数の接続端子を有し、前記第１の方向において前記保持部材の前方に配置された接続プラグと、を備え、前記複数の締結部材は、前記第１の方向と直交する第２の方向において離れた位置に配置されていて、前記第２の方向において、前記保持部材の幅は前記係合部材の幅よりも短く、且つ、前記複数の接続端子は前記複数の締結部材の位置の間の領域に配置されていることを特徴とする。
【発明の効果】
【０００８】
本発明によれば、アクセサリシュー装置との連結に必要な部品及び多数の接続端子の配置と機械的強度の向上とを両立させた接続装置を提供することができる。
【図面の簡単な説明】
【０００９】
【図１】実施形態に係るデジタルカメラの概略構成を示すブロック図である。
【図２】実施形態に係る外部照明装置の概略構成を示すブロック図である。
【図３】デジタルカメラと外部照明装置を背面側から見た斜視図である。
【図４】アクセサリシュー装置の分解斜視図及び全体斜視図である。
【図５】アクセサリシュー装置の係合部材と信号端子コネクタの構造を示す図である。
【図６】外部照明装置の斜視図と矢視Ａ−Ａ断面図である。
【図７】カメラ接続部の内部構造を示す斜視図である。
【図８】カメラ接続部の上面図と矢視Ｂ−Ｂ断面図である。
【発明を実施するための形態】
【００１０】
以下、本発明の実施形態について、添付図面を参照して詳細に説明する。ここでは、アクセサリシュー装置を備える電子機器の一例であるデジタルカメラ（撮像装置）と、デジタルカメラのアクセサリシュー装置に着脱可能に構成された接続装置を備えるアクセサリの一例である外部照明装置とからなる撮像システムを取り上げる。但し、本発明に係る接続装置を備えるアクセサリは、外部照明装置に限定されるものではなく、別の例として、電子ビューファインダ、動画撮影用マイク、撮像装置、通信装置、アクセサリ装着用アダプター等を挙げることができる。また、接続装置と係合可能に構成されたアクセサリシュー装置を備える電子機器は、撮像装置に限定されるものではない。
【００１１】
図１は、デジタルカメラ１００の概略構成を示すブロック図である。デジタルカメラ１００は、マイクロコントローラ１０１（以下「カメラＭＰＵ１０１」と記す）、撮像光学系１２２、タイミング信号発生回路１０２、撮像素子１０３、Ａ／Ｄ変換器１０４、メモリコントローラ１０５及びバッファメモリ１０６を備える。また、デジタルカメラ１００は、画像表示部１０７、記憶媒体Ｉ／Ｆ１０８、モータ制御部１１０、シャッタ制御部１１１、測光部１１２、多分割測光センサ１１３、レンズ制御部１１４、焦点検出部１１５、姿勢検出部１１６及びスイッチ操作部１１７を備える。更に、デジタルカメラ１００は、照明装置制御部１１８、内蔵照明装置１１９、カメラＬＥＤ補助光部１２１及びアクセサリシュー装置１２３（以下「アクセサリシュー１２３」と記す）を備える。デジタルカメラ１００に対しては、記憶媒体１０９の挿抜及び外部照明装置１２０の着脱が可能となっている。なお、上記はデジタルカメラ１００の構成の一例であって、アクセサリシュー１２３以外の構成要件が一部省略された構成であってもよい。
【００１２】
カメラＭＰＵ１０１は、撮影シーケンスをはじめとして、撮像システムの全体動作を制御する。撮像光学系１２２は、ズームレンズやフォーカスレンズ等の複数のレンズ群や絞り、シャッタ等で構成されており、被写界からの反射光を撮像素子１０３に光学像として結像させる。撮像素子１０３は、被写界からの反射光である光学像を電気信号に変換するＣＣＤやＣＭＯＳ等のイメージセンサである。タイミング信号発生回路１０２は、撮像素子１０３を動作させるために必要なタイミング信号を発生させる。
【００１３】
Ａ／Ｄ変換器１０４は、撮像素子１０３から読み出されたアナログ電気信号（アナログ画像データ）をデジタル電気信号（デジタル画像データ）に変換する。メモリコントローラ１０５は、不図示のメモリの読み書きやバッファメモリ１０６のリフレッシュ動作等を制御する。バッファメモリ１０６は、Ａ／Ｄ変換器１０４から出力されたデジタル画像データや画像表示部１０７において表示する画像の画像データを一時的に記憶する。画像表示部１０７は、液晶パネルや有機ＥＬパネル等の表示装置を有し、バッファメモリ１０６に蓄積された画像データを画像として表示する。
【００１４】
デジタルカメラ１００は、メモリカード等の記憶媒体１０９を挿抜可能に構成されている。記憶媒体Ｉ／Ｆ１０８は、デジタルカメラ１００に装着された記憶媒体１０９とカメラＭＰＵ１０１との間の通信を可能とするインタフェースである。なお、記憶媒体１０９は、デジタルカメラ１００に内蔵されたハードディスク等の記憶媒体であってもよい。
【００１５】
モータ制御部１１０は、露出動作時にカメラＭＰＵ１０１からの信号に従って不図示のモータを制御することにより、不図示のミラーのアップ／ダウンやシャッタのチャージを行う。シャッタ制御部１１１は、カメラＭＰＵ１０１からの信号に従って撮像光学系１２２が備えるシャッタ（シャッタ先幕、シャッタ後幕）の通電をカットしてシャッタ先幕とシャッタ後幕を幕走行させ、露出動作を制御する。測光部１１２は、撮像画面内の各エリアの輝度信号として、撮像画面内を複数のエリアに分割した多分割測光センサ１１３からの出力をカメラＭＰＵ１０１へ出力する。カメラＭＰＵ１０１は、測光部１１２から取得した輝度信号に基づき、露出調節のためのＡＶ（絞り値）、ＴＶ（シャッタスピード）、ＩＳＯ（撮像素子１０３の感度）等を演算する。また、測光部１１２は、内蔵照明装置１１９又は外部照明装置１２０が被写界へ向けて予備発光（プリ発光）したときの輝度信号をカメラＭＰＵ１０１に出力し、本露出（本撮影）時の外部照明装置１２０発光量（メイン発光量）を演算する。
【００１６】
レンズ制御部１１４は、カメラＭＰＵ１０１と通信し、不図示のレンズ駆動モータ及びレンズ絞りモータを動作させて、撮像光学系１２２の焦点調節と絞りを制御する。焦点検出部１１５は、周知の位相差検出方式等を用いて自動焦点制御（オートフォーカス（ＡＦ））のための被写界に対するデフォーカス量を検出する。姿勢検出部１１６は、撮影光軸を中心とした回転方向に対するデジタルカメラ１００の傾きを検出する。スイッチ操作部１１７は、ＳＷ１（第１のスイッチ）とＳＷ２（第２のスイッチ）のスイッチングを検出し、検出結果がカメラＭＰＵ１０１へ伝達される。ＳＷ１は、不図示のレリーズボタンの第１のストローク（半押し）でオンし、カメラＭＰＵ１０１はＳＷ１のオン信号に基づいてＡＦ及び測光を開始する。ＳＷ２は、レリーズボタンの第２のストローク（全押し）でオンし、カメラＭＰＵ１０１はＳＷ２のオン信号に基づいて露出動作を開始する。なお、スイッチ操作部１１７は、ＳＷ１，ＳＷ２以外の他の不図示の操作部材が操作されることに応じて発生する信号を検知し、カメラＭＰＵ１０１に伝達する。
【００１７】
アクセサリシュー１２３に対して、外部照明装置１２０の着脱が可能となっている。照明装置制御部１１８は、カメラＭＰＵ１０１からの指示に従って、内蔵照明装置１１９及びアクセサリシュー１２３を介して外部照明装置１２０に対する発光動作（プリ発光、メイン発光、補助光発光等）を制御する。また、照明装置制御部１１８は、外部照明装置１２０がアクセサリシュー１２３に装着されたことを検出すると、アクセサリシュー１２３を介して外部照明装置１２０への電源供給を開始する。アクセサリシュー１２３の詳細な構成については後述する。なお、アクセサリシュー１２３には、前述したように外部照明装置１２０以外の装置の着脱も可能である。
【００１８】
カメラＬＥＤ補助光部１２１は、焦点検出部１１５による焦点検出制御の補助光として使用される所定のパターンを有する近赤外光（ＬＥＤ補助光）を被写界側に照射する。カメラＭＰＵ１０１は、測光部１１２からの輝度信号出力に基づき、焦点検出のために内蔵照明装置１１９又は外部照明装置１２０による被写界側への補助光の照射を制御する補助光制御手段として機能する。具体的には、カメラＭＰＵ１０１は、照明装置制御部１１８を介して、内蔵照明装置１１９又は外部照明装置１２０に対して閃光補助光の発光を指示する。或いは、カメラＭＰＵ１０１は、照明装置制御部１１８を介して、カメラＬＥＤ補助光部１２１又は外部照明装置１２０のＬＥＤ補助光部２０７（図２参照）へＬＥＤ補助光の発光を指示する。
【００１９】
図２は、外部照明装置１２０の概略構成を示すブロック図である。外部照明装置１２０は、大略的に、本体部２００、バウンス機構部２０１及びヘッド部２０２から構成される。本体部２００は、外部照明ＭＰＵ２０３、電源スイッチ等の各種操作部２０５、表示部２０８、ＬＥＤ補助光部２０７及びカメラ接続部２０６を有する。
【００２０】
外部照明ＭＰＵ２０３は、不図示のメイン基板に実装されており、外部照明装置１２０の発光制御シーケンスをはじめとして、外部照明装置１２０の全体動作を制御する。カメラ接続部２０６は、デジタルカメラ１００のアクセサリシュー１２３に対する外部照明装置１２０の機械的接続と電気的接続を行う接続装置である。カメラＭＰＵ１０１と外部照明ＭＰＵ２０３との間で、照明装置制御部１１８、アクセサリシュー１２３及びカメラ接続部２０６を介して必要な通信が行われる。カメラ接続部２０６の構成の詳細については後述する。
【００２１】
ＬＥＤ補助光部２０７は、カメラＬＥＤ補助光部１２１と同様に、カメラＭＰＵ１０１による焦点検出部１１５を通じた焦点検出時の補助光として所定のパターンを有する近赤外光等のＬＥＤ補助光を被写界側に照射する。バウンス機構部２０１は、ヘッド部２０２を本体部２００に対して回転可能とする公知の機構を有し、また、メインコンデンサ２０９等を有している。バウンス機構部２０１は、閃光の照射方向を、例えば、被写界以外の方向へ変更するための周知の機構であり、ヘッド部２０２を本体部２００に対して水平方向と垂直方向とにそれぞれ回転可能に保持している。バウンス機構部２０１を使用することにより、被写体を間接的に照明して、所謂、バウンス撮影を行うことができる。ヘッド部２０２は、閃光を発光する発光部２０４を有する。発光部２０４は、閃光発光に必要な不図示のキセノン管等の放電管或いはＬＥＤ、反射傘、フレネルレンズ、外部照明ＭＰＵ２０３からの発光信号に従って閃光を発光するための発光回路等からなる。なお、上記は外部照明装置１２０の構成の一例であって、カメラ接続部２０６以外の構成要件が一部省略された構成であってもよい。
【００２２】
図３（ａ）は、デジタルカメラ１００を背面側から見た斜視図である。図３（ｂ）は、デジタルカメラ１００のアクセサリシュー１２３に外部照明装置１２０を装着する方法を示す斜視図である。図３（ｃ）は、デジタルカメラ１００に外部照明装置１２０が装着された状態を背面側から見た斜視図である。
【００２３】
撮像光学系１２２（図３に不図示）はデジタルカメラ１００の正面側（被写界側）に設けられ、画像表示部１０７はデジタルカメラ１００の背面側に設けられている。デジタルカメラ１００の上面部には外装部材としてのトップカバー１５０が設けられており、トップカバー１５０に対してアクセサリシュー１２３が配設されている。一方、外部照明装置１２０において、カメラ接続部２０６は外部照明装置１２０の底部に設けられている。図３（ｂ）に示すように、デジタルカメラ１００に対して外部照明装置１２０を＋Ｚ方向（第１の方向）に平行にスライドさせてカメラ接続部２０６とアクセサリシュー１２３とを係合させる。これにより、外部照明装置１２０をデジタルカメラ１００に装着することができる。ここでの＋Ｚ方向は、デジタルカメラ１００の背面側から正面側に向かう方向、つまり、画像表示部１０７側から不図示の撮像光学系１２２側へ向かう方向である。なお、図３以降の図面に示すＸ方向（第２の方向）、Ｙ方向（第３の方向）、Ｚ方向（前後方向）の規定は共通している。Ｘ方向は、Ｚ方向が水平方向と平行であるときに、水平面内でＺ方向と直交する方向であり、デジタルカメラ１００の幅方向である。Ｙ方向は、Ｚ方向及びＸ方向と直交する方向であり、デジタルカメラ１００の高さ方向である。
【００２４】
次に、デジタルカメラ１００のアクセサリシュー１２３について詳細に説明する。図４（ａ）は、アクセサリシュー１２３の分解斜視図である。図４（ｂ）は、アクセサリシュー１２３の全体斜視図（組み立てられた状態を示す斜視図）である。トップカバー１５０に対するアクセサリシュー１２３の組立方向はＹ方向となる。
【００２５】
アクセサリシュー１２３は、係合部材１５１、信号端子コネクタ１５２、シューステージ１５３及びアクセサリシュースプリング１５４を備える。係合部材１５１は、外部照明装置１２０を係合保持するための部材（被係合部材）である。信号端子コネクタ１５２は、合成樹脂材料等で形成されたコネクタベース部材にＸ方向に等ピッチで並設された複数の信号端子１５２ａを備える。信号端子コネクタ１５２において、信号端子１５２ａは、図４（ｂ）に示すように外部照明装置１２０の装着方向であるＺ方向前方（デジタルカメラ１００の正面側）に配置されている。信号端子コネクタ１５２のＺ方向後方（デジタルカメラ１００の背面側）には、外部照明装置１２０のロックピン２５２（図６参照）と係合する係合孔１５６が設けられている。
【００２６】
アクセサリシュー１２３に外部照明装置１２０が装着された状態において、信号端子１５２ａは、外部照明装置１２０と電気的に接続される。また、複数の信号端子１５２ａはそれぞれ、トップカバー１５０の下方（−Ｙ方向側）に配置されたフレキシブル基板１５８と電気的に接続されており、フレキシブル基板１５８は、デジタルカメラ１００の不図示のメイン基板に接続されている。よって、アクセサリシュー１２３に外部照明装置１２０が装着されると、外部照明装置１２０とデジタルカメラ１００との間で通信が可能となる。
【００２７】
シューステージ１５３は、係合部材１５１と信号端子コネクタ１５２を囲うハウジング部材である。アクセサリシュー保持部材１５５は、係合部材１５１を保持する構造躯体である。４本のビス１５７が、図４（ａ）に示すように、フレキシブル基板１５８、アクセサリシュー保持部材１５５、トップカバー１５０、シューステージ１５３、信号端子コネクタ１５２を挿通した状態で係合部材１５１に締結される。これにより、これらの各部材が位置決めされ、固定される。４本のビス１５７を、Ｘ方向とＺ方向で等分割した４つの領域に１本ずつ配置することにより、バランスよく各部材を結合させることができる。
【００２８】
アクセサリシュースプリング１５４は、金属等の導電性を有する材料で形成されている。アクセサリシュースプリング１５４は、係合部材１５１に装着された外部照明装置１２０（アクセサリ）をＹ方向に付勢する弾性変形部１５４ａと、外部照明装置１２０（アクセサリ）のＺ方向の突き当てを行う突当面１５４ｂとを備える。
【００２９】
図５（ａ）は、係合部材１５１の上面側の構造を示す斜視図である。図５（ｂ）は、係合部材１５１の下面側の構造を示す斜視図である。図５（ｃ）は、信号端子コネクタ１５２の上面側の構造を示す斜視図である。係合部材１５１は、略板状の金属材料をループ状に折り曲げ、折り曲げられたＸ方向の両端部の端面同士が継ぎ目１５１ａにおいて互いに対向して当接するように形成されている。
【００３０】
係合部材１５１は、一対の係合部１５１ｂと、一対の係合部１５１ｂを相互に連結する連結部１５１ｃとを有する。係合部材１５１には、ビス１５７の締結に用いられる一対の第１のビス孔１５１ｄと、一対の第２のビス孔１５１ｅとが形成されている。また、係合部材１５１には、外部照明装置１２０のロックピン２５２と係合する係合孔１５６が形成されている。
【００３１】
図５（ａ）に示すように、一対の係合部１５１ｂは、Ｘ方向において所定幅（以下「係合部間隔Ｔ」という）で離間している。係合部間隔Ｔ内に、外部照明装置１２０の保持部材２５４（図６参照）が挿入される。一対の第１のビス孔１５１ｄは、Ｘ方向に所定の間隔を持って設けられており、Ｚ方向後方（背面側）において、Ｘ方向に互いに離間して設けられた一対の第１の締結孔として機能する。一対の第２のビス孔１５１ｅは、Ｘ方向に所定の間隔を持って設けられており、Ｚ方向前方において、Ｘ方向に互いに離間して設けられた一対の第２の締結孔として機能する。係合孔１５６は、一対の第１のビス孔１５１ｄに挟まれた領域において、外部照明装置１２０が有するロックピン２５２と係合可能な位置に形成されている。
【００３２】
信号端子コネクタ１５２では、図４（ｂ）及び図５（ｃ）に示すように、複数の信号端子１５２ａが露出している。複数の信号端子１５２ａが並ぶピッチ方向（Ｘ方向）では、係合部材１５１の係合部間隔Ｔによってカメラ接続部２０６の位置は規制される。よって、外部照明装置１２０の保持部材２５４は、係合部材１５１によって信号端子コネクタ１５２に対して位置決めされる。
【００３３】
次に、外部照明装置１２０について説明する。図６（ａ）は、外部照明装置１２０の斜視図である。図６（ｂ）は、図６（ａ）に示す矢視Ａ−Ａでの、カメラ接続部２０６の内部構造を示す断面図である。外部照明装置１２０のカメラ接続部２０６は、デジタルカメラ１００のアクセサリシュー１２３への通常の装着状態において、外部照明装置１２０の基台部２５０の下側（−Ｙ方向側）に設けられている。カメラ接続部２０６は、シュー取付脚２５１（シュープレート）、ロックピン２５２、ロックレバー２５３、保持部材２５４、接続プラグ２５６及びＹ方向保持部材２５８を備える。
【００３４】
シュー取付脚２５１は、外部照明装置１２０をアクセサリシュー１２３に係合させるための係合部材、つまり、係合部材１５１に対して装着可能に構成された、外部照明装置１２０側の係合部材である。シュー取付脚２５１は、外部照明装置１２０に掛かる圧力や衝撃等の外力によって大きな応力が作用する部品であるため、高い機械的強度を確保することが可能な、金属板材（板金）を加工することにより形成されている。
【００３５】
ロックピン２５２は、シュー取付脚２５１がアクセサリシュー１２３に装着された後に、外部照明装置１２０の脱落を防止するための部材であり、Ｙ方向に移動可能にシュー取付脚２５１に設けられている。ロックピン２５２には、レバー２５２ａが嵌合固定されている。ロックレバー２５３とＹ方向保持部材２５８は、ロックピン２５２を可動させるための部材であり、保持部材２５４に設けられている。
【００３６】
外部照明装置１２０がアクセサリシュー１２３に装着され、ロックレバー２５３が回転操作されると、カム部によってＹ方向保持部材２５８とレバー２５２ａがＹ方向へ移動する。その際、レバー２５２ａはロックピン２５２と係合しているため、Ｙ方向保持部材２５８及びレバー２５２ａと共にロックピン２５２もＹ方向へ移動する。こうして、ロックピン２５２は、アクセサリシュー１２３の係合部材１５１に設けられた係合孔１５６と係合する。ロックピン２５２と係合孔１５６とは、外部照明装置１２０とデジタルカメラ１００との電気的接続を保証するためのＺ方向の位置規制部材として機能する。
【００３７】
接続プラグ２５６は、カメラ接続部２０６のＺ方向前方に設けられており、例えば、合成樹脂材料等の非導電性材料（誘電材料）で形成されている。カメラ接続部２０６では、接続プラグ２５６と保持部材２５４とは、合成樹脂材料で一体的に形成されている。接続プラグ２５６は、アクセサリシュー１２３の複数の信号端子１５２ａ（図５（ｃ）参照）に当接して通信を行うための複数の接続端子２５７を有する。
【００３８】
複数の接続端子２５７は、複数の信号端子１５２ａと対応している。接続端子２５７は、対応する信号端子１５２ａと接触する先端部２５７ａを有する。また、接続端子２５７は、先端部２５７ａからＺ方向後方へ伸延する形状を有し、先端部２５７ａが信号端子１５２ａに当接した際に弾性変形によって先端部２５７ａをＹ方向に変位させる伸延部２５７ｂを有する。伸延部２５７ｂのＺ方向後方端には、伸延部２５７ｂと略直交するように延直部２５７ｃが形成されている。そして、延直部２５７ｃの先端には、外部照明装置１２０の不図示のメイン基板に接続されたフレキシブル基板２５９が挿入された際に接触するためのフレキシブル基板接続部２５７ｄが設けられている。
【００３９】
なお、伸延部２５７ｂの略中央部には傾斜部２５７ｅが形成されており、Ｙ方向で段差が設けられている。前述の通り、伸延部２５７ｂはＹ方向に弾性変形が可能である。しかし、伸延部２５７ｂの距離Ｌが短い場合には十分な変形量を得ることができないことで耐久性が低下し、その結果、信号端子１５２ａと先端部２５７ａとの着脱が繰り返されると、破損しやすくなるおそれがある。そこで、伸延部２５７ｂの略中央部に傾斜部２５７ｅを設けて、つまり、伸延部２５７ｂにＹ方向で段差を設けている。これにより、シュー取付脚２５１と干渉することなく、十分な距離Ｌを確保することが可能となっている。
【００４０】
図７は、カメラ接続部２０６の内部構造を示す斜視図であり、カメラ接続部２０６から基台部２５０とロックレバー２５３が取り外された状態が示されている。カメラ接続部２０６は、シュー取付脚２５１と保持部材２５４が締結された構造となっている。なお、締結構造の詳細については後述する。
【００４１】
保持部材２５４は、係合部材１５１の係合部間隔Ｔ（図５（ａ）参照）に挿入可能（嵌合可能）に形成され、かつ、シュー取付脚２５１の幅Ｗよりも短い幅Ｖを有する連結部２５４ａを有する。連結部２５４ａがアクセサリシュー１２３の係合部材１５１と嵌合することによって、外部照明装置１２０のデジタルカメラ１００に対するＸ方向位置が定まる。また、シュー取付脚２５１がアクセサリシュースプリング１５４（図４参照）の弾性変形部１５４ａに当接することによってＹ方向上側に付勢され、シュー嵌合部２５１ａが係合部材１５１と当接する。これにより、外部照明装置１２０のデジタルカメラ１００に対するＹ方向位置が定まる。更に、シュー取付脚２５１に形成された突当面２５１ｂがアクセサリシュースプリング１５４に設けられた一対の突当面１５４ｂに当接することによって、外部照明装置１２０のデジタルカメラ１００に対するＺ方向位置が定まる。なお、保持部材２５４は、シュー取付脚２５１と基台部２５０を連結するための構造体でもあり、ロックピン２５２及び接続端子２５７は連結部２５４ａの内部に配置されている。
【００４２】
次に、保持部材２５４とシュー取付脚２５１の締結構造について説明する。図８（ａ）は、カメラ接続部２０６の上面図（Ｙ方向上側から見た図）である。図８（ｂ）は、図８（ａ）に示す矢視Ｂ-Ｂでの断面図である。
【００４３】
保持部材２５４にシュー取付脚２５１を締結するための締結部材である一対の第１のビス２６０ａと一対の第２のビス２６０ｂは、保持部材２５４のＹ方向上側に配置されている。一対の第１のビス２６０ａと一対の第２のビス２６０ｂは、保持部材２５４を挿通してシュー取付脚２５１に締結される。
【００４４】
このとき、Ｘ方向とＺ方向に略等分割された４つの領域にビスを１本ずつバランスよく配置することで、安定してシュー取付脚２５１が保持部材２５４に保持される構造となっている。また、前述の通り、シュー取付脚２５１は大きな応力の掛かる部品である。そのため、バランスよく配置された一対の第１のビス２６０ａと一対の第２のビス２６０ｂで金属からなるシュー取付脚２５１を保持部材２５４に締結することにより、必要な機械的強度の確保が可能となっている。また、Ｘ方向において一対の第１のビス２６０ａと一対の第２のビス２６０ｂの間の領域Ｓに接続端子２５７を配置している。これにより、前述の機械的強度を維持しながら、接続端子２５７を多数配置すること、つまり、多極化が可能となっている。シュー取付脚２５１にはロックピン２５２が取り付けられているが、ロックピン２５２を領域Ｓに配置することにより、シュー取付脚２５１の機械的強度を高めることができる。
【００４５】
次に、不図示のシンクロナイザ接点について説明する。外部照明装置１２０を装着するためのアクセサリシュー１２３には、ＪＩＳ規格による形状規格が設けられている。具体的には、ＪＩＳ規格には、外部照明装置１２０のシュー取付脚２５１と係合するアクセサリシュー１２３の係合部材１５１の形状と、外部照明装置１２０と、シンクロナイザ接点との位置関係が定められている。本実施形態では、シュー取付脚２５１を締結するための領域Ｓにシンクロナイザ接点を配置することになる。その場合には、シンクロナイザ接点と接続端子２５７との干渉が発生するが、接続端子２５７のうちシンクロナイザ接点と干渉する部分のみを取り除くことで、この問題を回避することができる。こうして、シンクロナイザ接点の配置、シュー取付脚２５１の機械強度の確保及び接続端子２５７の多極化を両立させることができる。
【００４６】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【符号の説明】
【００４７】
１００    デジタルカメラ
１２０    外部照明装置
１２３  アクセサリシュー
１５１    係合部材
１５２ａ    信号端子
２０６    カメラ接続部
２５１    シュー取付脚
２５２    ロックピン
２５４    保持部材
２５６    接続プラグ
２５７    接続端子
２６０ａ    第１のビス
２６０ｂ    第２のビス
【図１】
2020134682.tif 000003
【図２】
2020134682.tif 000004
【図３】
2020134682.tif 000005
【図４】
2020134682.tif 000006
【図５】
2020134682.tif 000007
【図６】
2020134682.tif 000008
【図７】
2020134682.tif 000009
【図８】
2020134682.tif 000010